(57)【要約】      （修正有）【課題】単純な構造で鋼管杭への着脱が容易且つ使い易い杭頭切断用治具を提供する。【解決手段】この杭頭切断用治具８０は、鋼管杭１０に対するガス切断を行いながら、火口のノズル部分をガイドリング４０の上面に載せた（当接した）状態で火口取付ナット部の端面をガイドリング４０の周面（ベースリング３０とガイドリング４０との段差）に沿わせて所定の切断スピードでゆっくりと一周させる。これにより、鋼管杭１０はガイドリング４０の上面位置（切断位置）で切断が進行し、火口が一周した時点で杭頭の切断が完了する。このように、この杭頭切断用治具８０は、極めて簡単な構造なため鋼管杭１０への着脱を短時間且つ容易に行うことができる。また、水平精度の高い杭頭処理を、従来の手作業による切断と比較して著しく短時間で行うことができる。【選択図】図２
0003233605.tif 000002
【実用新案登録請求の範囲】
【請求項１】
火口取付ナット部により取り付けられた火口から火炎を噴射して鋼材の切断を行うガス切断機の前記火口をガイドする杭頭切断用治具であって、
半円状に２分割可能で内径が鋼管杭の外径と略同等のベースリングと、
前記ベースリングを前記鋼管杭に固定する鋼管固定部と、
前記ベースリング上に固定され前記火口を沿わせることでガイドするガイドリングと、を有し、
前記ガイドリングは、内径が前記ベースリングの内径と同等であり、幅が前記火口取付ナット部から前記火口の先端までの長さと略同等かそれよりも０ｍｍ〜５ｍｍ長く、厚みが前記火口と前記火口取付ナット部との段差と略同等であることを特徴とする杭頭切断用治具。
【請求項２】
ガイドリングの幅が２５ｍｍ〜３０ｍｍであり、厚みが３．２ｍｍ〜５．０ｍｍであることを特徴とする請求項１記載の杭頭切断用治具。
【請求項３】
ガイドリングの外縁からベースリングの外縁までの幅が、火口取付ナット部の長さと略同等かそれよりも５ｍｍ〜２０ｍｍ長いことを特徴とする請求項１または請求項２に記載の杭頭切断用治具。
【請求項４】
ベースリングの下方に所定の長さのサポート部材を備えたことを特徴とする請求項１乃至請求項３のいずれかに記載の杭頭切断用治具。
【考案の詳細な説明】
【技術分野】
【０００１】
本考案は、鋼管杭の杭頭をガス切断する際に、ガス切断機の火口をガイドする杭頭切断用治具に関するものである。
【背景技術】
【０００２】
鋼管杭を地中に埋設して建築物の基礎とすることが一般的に行われている。そして、この鋼管杭の地上部分は通常、杭頭処理がなされ、設計された長さに切除される。この杭頭処理の方法としては、杭頭の切断位置にマーキングを施し、作業者がそれを目印として手作業でガス切断を行うことが一般的である。しかしながら、この方法では切り口の水平精度を得ることが困難であり、また不慣れな作業者では切断面に凹凸が生じる場合がある。
【０００３】
この問題点に対し下記［特許文献１］には、ガス切断機のトーチヘッドを載置する移動テーブルと、この移動テーブルを鋼管杭の周面に沿って移動させる支持移動機構と、この支持移動機構を鋼管杭に固定する固定機構とを備えた鋼管杭切断ガイド治具に関する発明が開示されている。
【先行技術文献】
【特許文献】
【０００４】
【特許文献１】特開２００５−２７９７３３号公報
【考案の概要】
【考案が解決しようとする課題】
【０００５】
しかしながら、［特許文献１］に記載の発明は、移動テーブルを鋼管杭の外径に合わせて径方向に移動させる径方向位置調節機構と、前述した移動テーブルの支持移動機構とを備えるなど構造が複雑なため治具自体が大型で且つ重量もあり、鋼管杭への設置や取り外しに時間と労力を要するという問題点がある。
【０００６】
本考案は上記事情に鑑みてなされたものであり、単純な構造で鋼管杭への着脱が容易且つ使い易い杭頭切断用治具の提供を目的とする。
【課題を解決するための手段】
【０００７】
本考案は、
（１）火口取付ナット部５により取り付けられた火口７から火炎を噴射して鋼材の切断を行うガス切断機１の前記火口７をガイドする杭頭切断用治具であって、
半円状に２分割可能で内径が鋼管杭１０の外径と略同等のベースリング３０と、前記ベースリング３０を前記鋼管杭１０に固定する鋼管固定部２０と、前記ベースリング３０上に固定され前記火口７を沿わせることでガイドするガイドリング４０と、を有し、
前記ガイドリング４０は、内径が前記ベースリング３０の内径Ｒと同等であり、幅Ｗ１が前記火口取付ナット部５から前記火口７の先端までの長さＬ１と略同等かそれよりも０ｍｍ〜５ｍｍ長く、厚みＴが前記火口７と前記火口取付ナット部５との段差Ｈと略同等であることを特徴とする杭頭切断用治具８０を提供することにより、上記課題を解決する。
（２）ガイドリング４０の幅Ｗ１が２５ｍｍ〜３０ｍｍであり、厚みＴが３．２ｍｍ〜５．０ｍｍであることを特徴とする上記（１）記載の杭頭切断用治具８０を提供することにより、上記課題を解決する。
（３）ガイドリング４０の外縁からベースリング３０の外縁までの幅Ｗ２が、火口取付ナット部５の長さＬ２と略同等かそれよりも５ｍｍ〜２０ｍｍ長いことを特徴とする上記（１）または上記（２）に記載の杭頭切断用治具８０を提供することにより、上記課題を解決する。
（４）ベースリング３０の下方に所定の長さのサポート部材５０を備えたことを特徴とする上記（１）乃至上記（３）のいずれかに記載の杭頭切断用治具８０を提供することにより、上記課題を解決する。
【考案の効果】
【０００８】
本考案に係る杭頭切断用治具は、簡単な構造のため鋼管杭への着脱を短時間且つ容易に行うことができる。また、水平精度の高い杭頭処理を、従来の手作業による切断と比較して短時間で行うことができる。
【図面の簡単な説明】
【０００９】
【図１】分離した状態の本考案に係る杭頭切断用治具を示す図である。
【図２】本考案に係る杭頭切断用治具を鋼管杭に取り付けた状態を示す図である。
【図３】本考案に係る杭頭切断用治具の各部の寸法を説明する図である。
【図４】本考案に係る杭頭切断用治具の使用方法を説明する図である。
【考案を実施するための形態】
【００１０】
本考案に係る杭頭切断用治具８０の実施の形態を図面に基づいて説明する。ここで、図１（ａ）は分離した状態の本考案に係る杭頭切断用治具８０の上面図であり、図１（ｂ）は底面図であり、図１（ｃ）は前面図であり、図１（ｄ）は側面図である。また、図２（ａ）は、本考案に係る杭頭切断用治具８０を鋼管杭１０に取り付けた状態を示す上面図であり、図２（ｂ）は底面図であり、図２（ｃ）は前面図であり、図２（ｄ）は側面図である。尚、ベースリング３０、ガイドリング４０に関しては、分離した状態ではそれぞれベースリング３０Ｒ、３０Ｌ、ガイドリング４０Ｒ、４０Ｌとして記載し、結合して輪状となった状態ではベースリング３０、ガイドリング４０として記載する。
【００１１】
先ず、本考案に係る杭頭切断用治具８０は、鋼管杭１０の杭頭処理時にガス切断機１の火口７をガイドするものであって、ベースリング３０（３０Ｒ、３０Ｌ）と、このベースリング３０を鋼管杭１０に固定する鋼管固定部２０と、ベースリング３０上に固定され火口７をガイドするガイドリング４０と、ベースリング３０の下方に設けられたサポート部材５０と、を有している。
【００１２】
また、杭頭切断用治具８０のベースリング３０は、半円状のベースリング３０Ｒ、３０Ｌに２分割可能であり、その一方（本例ではベースリング３０Ｌ）に結合部３２を有している。ここで、好適な具体例としての結合部３２は一方のベースリング３０Ｌの下面に固定され、他方のベースリング３０Ｒ側に伸びた板状部材であり、ネジ孔３２ａ等の固定手段を備えている。また、ベースリング３０Ｌ側のネジ孔３２ａと対応したベースリング３０Ｒの位置にはネジ孔３２ｂが設けられ、ベースリング３０Ｒ、３０Ｌを合わせてリング状としネジ孔３２ａ、３２ｂの位置を一致させた上で、ネジ３４等を用いて両者を固定することでベースリング３０Ｒ、３０Ｌは結合し、輪状のベースリング３０となる。尚、ネジ穴３２ｂにはザグリを設けるとともにネジ３４に皿ネジを用いるなどして、結合部３２及び固定手段がベースリング３０の上面に突出しないようにすることが好ましい。また、結合した状態のベースリング３０の内径Ｒは、図２（ａ）に示すように、鋼管杭１０の外径と略同等とする。ここで、通常使用される鋼管杭１０の外径はφ１１４．３、φ１３９．８、φ１６５．２、φ２１６．３、φ２６７．４、φ３１８．５、φ３５５．６、φ４０６．４、φ４５７．２  のものが多く、本考案に係る杭頭切断用治具８０は基本的に鋼管杭１０の外径ごとに専用のものを用意する。
【００１３】
また、鋼管固定部２０はベースリング３０を鋼管杭１０に固定可能であれば特に限定は無く如何なる構成を用いても良い。ただし、部品数低減の観点から結合部３２をＬ字状とし、その垂直面２２にネジ孔を設け、このネジ孔に締付ボルトを螺合させることで鋼管固定部２０とすることが最も好ましい。
【００１４】
また、ガイドリング４０は上面にガス切断機１の火口７を沿わせてガイドするものであり、ベースリング３０Ｒ、３０Ｌのそれぞれに半円形のガイドリング４０Ｒ、４０Ｌが固定している。そして、ベースリング３０Ｒ、３０Ｌが結合部３２によって結合することで、ガイドリング４０Ｒ、４０Ｌも輪状のガイドリング４０となる。尚、ガイドリング４０の内径はベースリング３０の内径Ｒと同等であり、よってガイドリング４０の内径も鋼管杭１０の外径と略同等となる。
【００１５】
また、サポート部材５０は杭頭切断用治具８０の鋼管杭１０への固定を補助するとともに、ベースリング３０を鋼管杭１０に対して垂直に位置させる機能を有し、例えばベースリング３０の中心から放射状に伸びた板状部材（リブ）で構成される。また、サポート部材５０の内側の面はベースリング３０の内周面と略同等な位置とし、鋼管杭１０に杭頭切断用治具８０が設置された際には、このサポート部材５０の内側面が鋼管杭１０の周面に当接する。
【００１６】
次に、ガイドリング４０及びベースリング３０の各部の寸法を図３を用いて説明する。ここで、一般的なガス切断機１の火口７は複数の火口取付ナット（火口取付ナット部５）を備えており、火口７はこれら火口取付ナット部５（主に一番奥側のバックナット）を用いてトーチヘッド３に固定される。そして、ガイドリング４０の幅Ｗ１は、火口取付ナット部５から火口７の先端までのノズル部分の長さＬ１と略同等もしくは長さＬ１よりも０ｍｍ〜５ｍｍ長く形成する。尚、通常、杭頭切断処理には中型ガス切断機を使用し、一般的な中型ガス切断機の火口７のノズル部分の長さＬ１は約２５ｍｍであり、よってガイドリング４０の幅Ｗ１は２５ｍｍ〜３０ｍｍの範囲とすることが好ましい。また、ガイドリング４０の厚みＴは、火口７のノズル部分の周面と火口取付ナット部５との段差Ｈの値と略同等とする。尚、一般的な中型ガス切断機における火口７のノズル部分と火口取付ナット部５との段差Ｈの値は約３．２ｍｍであり、また厚みＴを５ｍｍとして実験したところ杭頭処理時の火口７の移動に問題は生じなかったため、よってガイドリング４０の厚みＴは３．２ｍｍ〜５．０ｍｍの範囲とすることが好ましい。また、ガイドリング４０の外縁からベースリング３０の外縁までの幅Ｗ２は、火口取付ナット部５の長さＬ２と略同等か若干（５ｍｍ〜２０ｍｍ）長い方が使用上好ましい。ここで、火口取付ナット部５の長さＬ２は概ね２５ｍｍ前後であることから、よって幅Ｗ２は２５ｍｍ〜４５ｍｍが好ましく、３５ｍｍが特に好ましい。尚、これらの幅Ｗ１、厚みＴ、幅Ｗ２の値と寸法範囲は、ベースリング３０の内径が異なる杭頭切断用治具８０であっても基本的に変化しない。
【００１７】
次に、本考案に係る杭頭切断用治具８０の使用方法を説明する。先ず、作業者が杭頭処理を行う鋼管杭１０の径と対応した内径の杭頭切断用治具８０を用意する。次に、作業者は、結合部３２による固定を解除して杭頭切断用治具８０をベースリング３０Ｒ側とベースリング３０Ｌ側に分離する。次に、ベースリング３０Ｒとベースリング３０Ｌとで鋼管杭１０を挟み込み、結合部３２により両者を結合する。これにより、輪状となったベースリング３０、ガイドリング４０の輪内に鋼管杭１０が位置する。次に、ガイドリング４０の上面が切断位置に一致するように杭頭切断用治具８０をスライド移動させ、この位置で鋼管固定部２０を締め付ける。これにより、切断位置にガイドリング４０の上面が位置した状態で杭頭切断用治具８０が鋼管杭１０に固定する。
【００１８】
次に、図４に示すように、火口取付ナット部５の端面をガイドリング４０の周面に当接させる。このとき、ガイドリング４０の厚みＴは火口７と火口取付ナット部５との段差Ｈと略同等であるから、火口７のノズル部分の周面はガイドリング４０の上面に当接し、火口取付ナット部５が部分的にベースリング３０の上面に当接する。またこのとき、ガイドリング４０の幅Ｗ１は火口取付ナット部５の端から火口７の先端までの長さＬ１と略同等であるから、火口７の先端は鋼管杭１０の周面の近傍に位置する。またこれと前後して、作業者はガス切断機１の火口７から火炎を噴射させ鋼管杭１０の切断を開始する。そして、作業者は鋼管杭１０に対するガス切断を行いながら、火口７のノズル部分をガイドリング４０の上面に載せた（当接した）状態で火口取付ナット部５の端面をガイドリング４０の周面（ベースリング３０とガイドリング４０との段差）に沿わせて所定の切断スピードでゆっくりと一周させる。これにより、鋼管杭１０はガイドリング４０の上面位置（切断位置）で切断が進行し、火口７が一周した時点で杭頭の切断が完了する。
【００１９】
上記のようにして、杭頭切断用治具８０とガス切断機１による杭頭の切断が完了すると、作業者は切断した鋼管杭１０を除去するとともに、鋼管固定部２０を緩め、杭頭切断用治具８０を鋼管杭１０から抜き取る。そして、次の鋼管杭１０の杭頭処理に移行する。
【００２０】
以上のように、本考案に係る杭頭切断用治具８０は、極めて簡単な構造なため鋼管杭１０への着脱を短時間且つ容易に行うことができる。また、水平精度の高い杭頭処理を、従来の手作業による切断と比較して著しく短時間で行うことができる。さらに、構造が単純なため作業者が短時間で使用方法を理解でき、杭頭切断用治具８０を用いた鋼管杭１０の杭頭処理を直ちに実行することができる。
【００２１】
尚、上記に示した杭頭切断用治具８０の例えば結合部３２、鋼管固定部２０、サポート部材５０等の各部の構成、デザイン、寸法等は一例であるから、上記の例に限定されるわけでは無く、本考案は本考案の要旨を逸脱しない範囲で変更して実施することが可能である。
【符号の説明】
【００２２】
１      ガス切断機
５      火口取付ナット部
７      火口
１０    鋼管杭
２０    鋼管固定部
３０    ベースリング
４０    ガイドリング
５０    サポート部材
８０    杭頭切断用治具
【図１】
0003233605.tif 000003
【図２】
0003233605.tif 000004
【図３】
0003233605.tif 000005
【図４】
0003233605.tif 000006